(57)【特許請求の範囲】
【請求項１】
第１通信機及び第２通信機を有するとともに、前記第１、２通信機間で通信可能であり、かつ、データ通信及び音声通信が可能な通信装置であって、
着信信号の有無を検出する着信検出手段と、
前記第１通信機及び前記第２通信機のうちいずれか一方の通信機にてデータ通信が実行されている場合において、前記着信検出手段により着信信号が検出されたときに、着信信号が検出された旨をユーザに報知する報知手段と、
前記報知手段による報知がされた後、データ通信を実行している前記一方の通信機にて音声通信が開始されたときに、前記一方の通信機にて音声通信の開始まで実行されていたデータ通信を他方の通信機にて継続するための情報である通話開始前情報を他方の通信機に転送する第１転送手段とを備え、
前記通話開始前情報を受信した他方の通信機が前記通話開始前情報に基づいてデータ通信を継続し、
前記一方の通信機にて音声通信が終了したときに、音声通信の終了まで実行されていたデータ通信を前記一方の通信機にて継続するための情報である通話終了後情報を前記一方の通信機に転送し、
前記通話終了後情報を受信した一方の通信機が前記通話終了後情報に基づいてデータ通信を継続することを特徴とする通信装置。
【請求項２】
前記一方の通信機には、情報を表示するため表示手段が設けられており、
前記報知手段による報知は、データ通信による表示と共に前記表示手段に表示されることを特徴とする請求項１に記載の通信装置。
【請求項３】
前記他方の通信機は、前記第１転送手段にて転送された前記通話開始前情報に基づいて、前記一方の通信機での接続状態を復元し、データ通信を継続できることを特徴とする請求項１又は２に記載の通信装置。
【請求項４】
前記他方の通信機は、ユーザの操作を介した指示があったときに、前記第１転送手段にて転送された前記通話開始前情報に基づいてデータ通信を継続することを特徴とする請求項３に記載の通信装置。
【請求項５】
前記一方の通信機に設けられ、前記通話開始前情報を記憶する記憶手段と、
前記他方の通信機に、前記通話開始前情報に基づいてデータ通信を継続したか問い合わせ、その問い合わせへの回答に基づいて、前記記憶手段に記憶されている前記通話開始前情報と、前記他方の通信機で実行されたデータ通信についての接続情報であって前記一方の通信機による音声通信が終了したときの前記通話終了後情報とが同一であるか否かを判定する第１判定手段と、
前記一方の通信機に設けられ、前記第１判定手段により同一であると判定された場合に、前記記憶手段に記憶されている前記通話開始前情報に基づいて、前記一方の通信機におけるデータ通信を再開可能とする第１通信復元手段と
を備えることを特徴とする請求項３又は４に記載の通信装置。
【請求項６】
前記第１判定手段により同一でないと判定された場合に、前記他方の通信機で実行されたデータ通信についての接続情報であって前記一方の通信機による音声通信が終了したときの情報である前記通話終了後情報を、前記一方の通信機に転送する第２転送手段を備えることを特徴とする請求項５に記載の通信装置。
【請求項７】
前記他方の通信機に設けられ、前記通話開始前情報を記憶する記憶手段と、
前記記憶手段に記憶されている前記通話開始前情報と、前記他方の通信機で実行されたデータ通信についての接続情報であって前記一方の通信機による音声通信が終了したときの前記通話終了後情報とが同一であるか否かを判定する第２判定手段と、
前記第２判定手段により同一であると判定された場合に、前記第１転送手段にて転送された前記通話開始前を前記一方の通信機に再転送し、一方、前記第２判定手段により同一でないと判定された場合に、前記他方の通信機で実行されたデータ通信についての接続情報であって前記一方の通信機による音声通信が終了したときの前記通話終了後情報を、前記一方の通信機に転送する第２転送手段と
を備えることを特徴とする請求項３又は４に記載の通信装置。
【請求項８】
前記第２転送手段は、前記第１通信機又は前記第２通信機へのユーザの操作を介した指示がされたときに作動することを特徴とする請求項６又は７に記載の通信装置。
【請求項９】
前記一方の通信機は、前記他方の通信機を介してデータ通信及び音声通信を実行可能であることを特徴とする請求項１ないし８のいずれか１つに記載の通信装置。
【発明の詳細な説明】
【技術分野】
【０００１】
本発明は、通信装置に関するもので、特に、ファクシミリ機能を備える親機と、コードレス対応の子機とからなる通信装置に適用して有効である。
【背景技術】
【０００２】
例えば、特許文献１に記載の親機と子機とからなる通信装置では、インターネット等のデータ通信による情報内容を表示（閲覧）するためのソフトウェア（以下、ブラウザという。）を子機に搭載し、子機でインターネット上の情報内容（例えば、ホームページ等）を閲覧可能としている。
【０００３】
ところで、子機に搭載されたバッテリの電力が低下し、ホームページ等の閲覧を継続できない状態となった場合には、一旦、ホームページ等の閲覧を中止する必要があるが、ホームページ等の閲覧を中止すると、閲覧の再開時に、そのホームページ等を始めから閲覧し直す必要があり、利便性に欠けるという問題がある。
【０００４】
そこで、特許文献１に記載の発明では、子機に搭載されたバッテリの電力が低下した場合には、それまで子機で行っていたデータ通信の接続状態を示す接続情報を親機に記憶させるとともに、子機が使用可能になった場合には、子機が親機に記憶されている接続情報を取得することより、子機にてホームページ等の閲覧状態を復元（再開）可能としている。
【０００５】
なお、「データ通信の接続状態を示す接続情報」とは、例えばブラウザに現在表示されている表示内容、閲覧している情報内容の所在を示すＵＲＬ（Uniform Resource Locator）、及び複数のページ（情報内容）間で情報を維持するため情報（例えば、セッション情報やＣｏｏｋｉｅ情報）等をいう。
【特許文献１】特開２００３−２４４７６６号公報
【発明の開示】
【発明が解決しようとする課題】
【０００６】
ところで、通話やファクシミリ等の音声通信及びデータ通信が可能な通信装置においては、データ通信中に着信信号を受信する場合が十分に想定される。なお、着信信号とは、音声通信の要望があったことを意味する信号であり、いわゆる「呼び出し音」を電話機に発生させるための信号である。
【０００７】
これに対して、特許文献１に記載の発明は、子機の電力不足を契機として、それまで子機に実行されていたデータ通信の接続情報を親機に記憶させるものであり、着信信号を受信した時については何ら考慮されていない。
【０００８】
すなわち、データ通信及び音声通信が可能な通信装置においては、着信信号の受信は必須の状況であるので、データ通信中に着信信号を受信するといった状況に対応した機能は、データ通信及び音声通信が可能な通信装置の使い勝手を更に向上させるには、非常に有用である。
【０００９】
本発明は、上記点に鑑み、データ通信及び音声通信が可能な通信装置の使い勝手を更に向上させることを目的とする。
【課題を解決するための手段】
【００１０】
本発明は、上記目的を達成するために、請求項１に記載の発明では、第１通信機及び第２通信機を有するとともに、第１、２通信機間で通信可能であり、かつ、データ通信及び音声通信が可能な通信装置であって、着信信号の有無を検出する着信検出手段と、第１通信機及び第２通信機のうちいずれか一方の通信機にてデータ通信が実行されている場合において、着信検出手段により着信信号が検出されたときに、着信信号が検出された旨をユーザに報知する報知手段と、報知手段による報知がされた後、データ通信を実行している一方の通信機にて音声通信が開始されたときに、一方の通信機にて音声通信の開始まで実行されていたデータ通信を他方の通信機にて継続するための情報である通話開始前情報を他方の通信機に転送する第１転送手段とを備え、通話開始前情報を受信した他方の通信機が通話開始前情報に基づいてデータ通信を継続し、一方の通信機にて音声通信が終了したときに、音声通信の終了まで実行されていたデータ通信を一方の通信機にて継続するための情報である通話終了後情報を一方の通信機に転送し、通話終了後情報を受信した一方の通信機が通話終了後情報に基づいてデータ通信を継続することを特徴とする。
【００１１】
これにより、請求項１に記載の発明では、着信信号が検出されると、それまで一方の通信機で行っていたデータ通信についての接続情報が他方の通信機に転送されるので、転送された接続情報を用いて、他方の通信機でデータ通信を復元して再開することが可能となり、通信装置の使い勝手を更に向上させることができる。
【００１２】
また、請求項２に記載の発明では、一方の通信機には、情報を表示するため表示手段が設けられており、報知手段による報知は、データ通信による表示と共に表示手段に表示されることを特徴とする。
【００１３】
これにより、請求項２に記載の発明では、データ通信を停止させることなく、着信があったことをユーザに報知できる。
また、データ通信による表示が継続しているので、ユーザが着信によりデータ通信が停止されたと誤って判断することを防止できる。
【００１４】
また、請求項３に記載の発明では、他方の通信機は、第１転送手段にて転送された通話開始前情報に基づいて、一方の通信機での接続状態を復元し、データ通信を継続できることを特徴とする。
【００１５】
これにより、請求項３に記載の発明では、一方の通信機にて音声通信を行いながら、他の通信機にてデータ通信を継続することができる。
また、請求項４に記載の発明では、他方の通信機は、ユーザの操作を介した指示があったときに、第１転送手段にて転送された通話開始前情報に基づいてデータ通信を継続することを特徴としているので、データ通信が不必要に開始（継続）されてしまうことを未然に防止できる。
【００１６】
請求項５に記載の発明では、一方の通信機に設けられ、通話開始前情報を記憶する記憶手段と、他方の通信機に、通話開始前情報に基づいてデータ通信を継続したか問い合わせ、その問い合わせへの回答に基づいて、記憶手段に記憶されている通話開始前情報と、他方の通信機で実行されたデータ通信についての接続情報であって一方の通信機による音声通信が終了したときの通話終了後情報とが同一であるか否かを判定する第１判定手段と、一方の通信機に設けられ、第１判定手段により同一であると判定された場合に、記憶手段に記憶されている通話開始前情報に基づいて、一方の通信機におけるデータ通信を再開可能とする第１通信復元手段とを備えることを特徴とする。
【００１７】
これにより、請求項５に記載の発明では、他方の通信機での接続状態が同一の場合、つまり、他方の通信機に対して、一方の通信機から転送した接続情報が変更されていない場合、一方の通信機に記憶されている接続情報を用いてデータ通信を復元することができるので、一方の通信機による音声通信が終了したときに、即座にデータ通信を再開することができる。
【００１８】
また、請求項６に記載の発明では、第１判定手段により同一でないと判定された場合に、他方の通信機で実行されたデータ通信についての接続情報であって一方の通信機による音声通信が終了したときの情報である通話終了後情報を、一方の通信機に転送する第２転送手段を備えることを特徴とする。
【００１９】
これにより、請求項６に記載の発明では、一方の通信機にて音声通信が行われている間に、他方の通信機にてデータ通信が行われて接続情報が更新された場合であっても、一方の通信機にて、その更新された状態からデータ通信を再開することができる。
【００２０】
また、請求項７に記載の発明では、他方の通信機に設けられ、通話開始前情報を記憶する記憶手段と、記憶手段に記憶されている通話開始前情報と、他方の通信機で実行されたデータ通信についての接続情報であって一方の通信機による音声通信が終了したときの通話終了後情報とが同一であるか否かを判定する第２判定手段と、第２判定手段により同一であると判定された場合に、第１転送手段にて転送された通話開始前を一方の通信機に再転送し、一方、第２判定手段により同一でないと判定された場合に、他方の通信機で実行されたデータ通信についての接続情報であって一方の通信機による音声通信が終了したときの通話終了後情報を、一方の通信機に転送する第２転送手段とを備えることを特徴とする。
【００２１】
これにより、請求項７に記載の発明では、一方の通信機による音声通信が終了した場合に、一方の通信機にて音声通信を開始したときの接続状態を復元することができるとともに、一方の通信機にて音声通信が行われている間に、他方の通信機にてデータ通信が行われて接続情報が更新された場合であっても、一方の通信機にて、その更新された状態からデータ通信を再開することができる。
【００２２】
また、請求項８に記載の発明では、第２転送手段は、第１通信機又は第２通信機へのユーザの操作を介した指示がされたときに作動することを特徴とする。
【００２３】
なお、請求項９に記載の発明では、一方の通信機は、他方の通信機を介してデータ通信及び音声通信を実行可能であることを特徴とするものである。
【発明を実施するための最良の形態】
【００２４】
本実施形態は、本発明に係る通信装置を親機と子機とからなるファクシミリ装置に適用したものであり、以下に本発明の実施形態を図面と共に説明する。
（第１実施形態）
１．図面の説明
図１は本実施形態に係る通信装置の外観図であり、図２は本実施形態に係る親機２の電気系ブロック図であり、図３は本実施形態に係る子機３の電気系ブロック図であり、図４は本実施形態に係る通信装置の作動説明図である。
【００２５】
また、図５及び図６は本実施形態に係る子機３のメインタスクを示すフローチャートであり、図７はＷｅｂブラウザタスクのフローチャートであり、図８及び図９は本実施形態に係る親機２のメインタスクを示すフローチャートであり、図１０は親機２の記憶部２Ｅの概念を示す図である。
【００２６】
２．通信装置の構成
２．１．通信装置の概要
本実施形態に係る通信装置１は、図１に示すように、親機２と子機３とから構成されたもので、親機２と子機３とは無線通信を介して互いにデータ通信及び音声通信が可能である。
【００２７】
なお、データ通信とは、インターネット等のデジタルデータを送受信する通信であり、音声通信とは、通話やファクシミリ等の音声信号を送受信する通信である。
そして、親機２は、一般公衆回線や専用回線等の回線（図示せず。）を介して他の通信装置と直接的にデータ通信や音声通信が可能であるのに対して、子機３は、親機２を介して間接的に他の通信装置と通信することができ、直接的に他の通信装置と通信することはできない。
【００２８】
このため、本実施形態に係る通信装置１では、音声通信のための着信信号は、親機２にて受信・検出され、子機３にて検出することはできない。
しかし、着信信号を検出した親機２は、親機２のスピーカ２Ｈ（図２参照）で着信音を発するとともに、子機３のスピーカ３Ｅで着信音を発する旨の指示を子機３に対してするので、音声通信のための着信があった旨が親機２及び子機３からユーザに報知される。
【００２９】
２．２．親機（図２参照）
本実施形態に係る親機２はファクシミリ機能を有しており、具体的には、図２に示すように、受信したファクシミリデータを印刷する印刷部２Ａ、原稿を読み取ってファクシミリデータを生成する読取部２Ｂ、及び回線と接続するための通信部２Ｃ等から構成されている。そして、親機２では、この通信部２Ｃを介して、外部とのデータ通信や音声通信が可能になっている。
【００３０】
また、無線通信部２Ｄは子機３と無線通信するための手段であり、記憶部２Ｅは各種情報やデータを一時的に保管するメモリであり、表示部２Ｆは情報をユーザに向けて表示する手段であり、操作部２Ｇは、ユーザからの操作を受けて制御部２Ｊに各種指令信号を入力させる手段であり、スピーカ２Ｈは、音声データを再現するための手段である。
【００３１】
なお、表示部２Ｆは、いわゆるタッチパネル機能を有しているので、本実施形態では、操作部２Ｇに加えて、表示部２Ｆからもユーザからの入力を受け付けることができる。
そして、印刷部２Ａ等は制御部２Ｊにより制御されており、この制御部２Ｊは、ＣＰＵ、ＲＡＭ及びＲＯＭ等からなる周知のマイクロコンピュータにて構成されている。
【００３２】
なお、制御部２ＪのＲＯＭには、親機２の作動を制御するプログラムが記憶されており、制御部２Ｊ（ＣＰＵ）は、ＲＯＭに記憶されているプログラムに従って印刷部２Ａ等を制御する。
【００３３】
２．３．子機（図３参照）
図３に示すように、子機３も親機２とほぼ同様な構成であり、具体的には、無線通信部３Ａ、記憶部３Ｂ、表示部３Ｃ、操作部３Ｄ、スピーカ３Ｅ及び制御部３Ｆ等から構成されており、無線通信部３Ａ等は制御部３Ｆにより制御される。
【００３４】
なお、制御部３Ｆは、親機２の制御部２Ｊと同様に、ＣＰＵ、ＲＡＭ及びＲＯＭ等からなる周知のマイクロコンピュータにて構成されたものであり、制御部３Ｆ（ＣＰＵ）は、ＲＯＭに記憶されているプログラムに従って無線通信部３Ａ等を制御する。
【００３５】
３．通信装置の特徴的作動
３．１．作動の概略（図４参照）
本実施形態に係る通信装置１は、親機２及び子機３にて、インターネット等のデータ通信、及び通話等の音声通信が可能であるが、子機３は親機２との無線通信を介して回線にて接続されるので、少なくとも子機３にてデータ通信と音声通信とを同時に実行することができない。
【００３６】
このため、ユーザが子機３にてデータ通信を実行している場合に、親機３において着信信号が検出され、その旨が子機３にも報知されたとき、ユーザが音声通信を開始するには、それまで実行していたデータ通信を終了させる必要がある。
【００３７】
そこで、本実施形態では、子機３にてデータ通信が実行されている場合において、着信信号が検出されたときに、着信信号が検出された旨をデータ通信による表示と共に表示部３Ｃに表示してユーザに報知する。
【００３８】
そして、ユーザへの報知がされた後、ユーザが操作部３Ｄを操作することにより、子機３にて音声通信が開始されたときに、それまで子機３にて実行されていたデータ通信の接続状態を示す接続情報を親機２に転送し、その転送された接続情報を親機２（記憶部２Ｅ）にて保持することにより、子機３で音声通信が終了したときに、音声通信が開始される直前のデータ通信の接続状態を復元することができるようにしている。
【００３９】
なお、「データ通信の接続状態を示す接続情報」とは、例えばブラウザに現在表示されている表示内容、閲覧している情報内容の所在を示すＵＲＬ（Uniform Resource Locator）、及び複数のページ（情報内容）間で情報を維持するため情報（例えば、セッション情報やＣｏｏｋｉｅ情報）等をいう。
【００４０】
すなわち、子機３にてデータ通信が実行されているときには、子機３の表示部３Ｃにブラウザを介してデータ通信の内容が表示され（図４の画面Ｇ１参照）、一方、親機２の表示部２Ｆには、親機２が待機状態である旨の表示されている（図４の画面Ｇ２参照）。
【００４１】
この状態で、親機２が着信信号を検出すると、ブラウザによるデータ通信の内容表示と共に着信信号が検出された旨及び着信情報が子機３の表示部３Ｃに表示される（図４の画面Ｇ３参照）。なお、着信情報とは、音声通信の送信元を示す情報（電話番号や送信者の情報等）をいう。
【００４２】
ここで、ユーザが子機３による音声通信の開始を選択すると、それまで子機３にて実行されていたデータ通信に関する接続情報（以下、この接続情報を通話開始前情報という。）が親機２に転送されて親機２の記憶部２Ｅに保存されるとともに、子機３の記憶部３Ｂにも保存される。
【００４３】
そして、子機３による音声通信が開始されると、親機２の表示部２Ｆ及び子機３の表示部３Ｃにその旨が表示されるとともに（図４の画面Ｇ４、Ｇ５参照）、親機２の表示部２Ｆには、通話開始前情報が親機２に保存されている旨を表す表示（以下、Ｗｅｂアイコンという。）が行なわれる（図４の画面Ｇ５参照）。
【００４４】
ところで、Ｗｅｂアイコンが表示された状態で、ユーザが表示部２Ｆに表示されたＷｅｂアイコンを触れる等してＷｅｂアイコンがユーザにより選択されると、通話開始前情報に基づいて、子機３にてデータ通信を終了したときの接続状態が親機２にて復元され、それまで子機３にて実行されていたデータ通信を親機２で継続させることができる（図４の画面Ｇ６参照）。
【００４５】
一方、子機３での音声通信が終了すると、音声通信を開始したことにより終了したデータ通信を子機３にて再開するか否かをユーザに問い合わせるメッセージが表示部３Ｃに表示される（図４の画面Ｇ７参照）。
【００４６】
そして、データ通信を子機３にて再開する旨がユーザの操作により選択され、かつ、通話開始前情報に基づいてデータ通信が親機２で継続されていた場合には、親機２で実行されたデータ通信についての接続情報であって子機３による音声通信が終了したときの接続情報（以下、この接続情報を通話終了後情報という。）に基づいてデータ通信を再開するか否かをユーザに問い合わせるメッセージが表示部３Ｃに表示される（図４の画面Ｇ８参照）。
【００４７】
このとき、通話終了後情報に基づくデータ通信を再開する旨がユーザの操作により選択されると、親機２から通話終了後情報が子機３に転送され、子機３で音声通信が終了するまで親機２で実行されていたデータ通信が復元される（図４の画面Ｇ９参照）。
【００４８】
一方、データ通信を子機３にて再開する旨がユーザに選択され、かつ、通話開始前情報に基づいてデータ通信が親機２で継続されていなかった場合には、子機３の記憶部３Ｂに保存されている通話開始前情報に基づいてデータ通信が復元される（図４の画面Ｇ１０参照）。
【００４９】
３．２．作動の詳細
以下の説明は、上記概略作動をフローチャートに基づいて説明したものである。
３．２．１．子機のメインタスク（図５及び図６参照）
子機３のメインタスクは、子機３の電源スイッチ（図示せず。）が投入されると起動されて制御部３Ｆで実行され、遮断されると終了する。なお、通常、子機３は、電源スイッチが投入されたままで使用されるため、このメインタスクは、実質的には常に実行されていることになる。
【００５０】
そして、メインタスクが起動されると、図５に示すように、先ず、操作部３Ｄに設けられているブラウザ起動ボタン３Ｄ１（図１参照）がユーザにより操作され、ユーザからブラウザ起動要求がされたか否か、つまりユーザからデータ通信開始指示がされたか否かが判定される（Ｓ１）。
【００５１】
このとき、ブラウザ起動要求がされたと判定された場合には（Ｓ１：ＹＥＳ）、既にＷｅｂブラウザタスク（図７参照）が起動しているか否かが判定され（Ｓ５）、起動していないと判定された場合には（Ｓ５：ＮＯ）、Ｗｅｂブラウザタスクが起動された後（Ｓ１０）、着信信号が検出された旨が親機２から送信されたか否かが判定される（Ｓ１５）。なお、Ｗｅｂブラウザタスクの詳細は後述する。
【００５２】
また、Ｓ１にてブラウザ起動要求がされていないと判定された場合には（Ｓ１：ＮＯ）、又はＳ５にてＷｅｂブラウザタスクが起動されていると判定された場合には（Ｓ５：ＹＥＳ）、Ｗｅｂブラウザタスクが起動されることなく、親機２から着信信号が検出された旨が送信されてきたか否かが判定される（Ｓ１５）。
【００５３】
ここで、着信信号が検出された旨が親機２から送信されていないと判定された場合には（Ｓ１５：ＮＯ）、その旨の表示処理が表示されることなく（Ｓ２０）、Ｓ１が実行され、一方、Ｓ１５にて着信信号が検出された旨が親機２から送信されたと判定された場合には（Ｓ１５：ＹＥＳ）、Ｗｅｂブラウザタスクが起動中であるか否かが確認される（Ｓ２５）。
【００５４】
そして、Ｗｅｂブラウザタスクが起動中であると判定された場合には（Ｓ２５：ＹＥＳ）、ブラウザによるデータ通信の内容表示と共に着信信号が検出された旨が子機３の表示部３Ｃに表示され（Ｓ３０）、ユーザが子機３による音声通信の開始を選択したか否かが判定される（Ｓ４０）。
【００５５】
一方、起動中でないと判定された場合には（Ｓ２５：ＮＯ）、着信信号が検出された旨のみが子機３の表示部３Ｃに表示された後（Ｓ３５）、ユーザが子機３による音声通信の開始を選択したか否かが判定される（Ｓ４０）。
【００５６】
そして、音声通信の開始が選択されていないと判定された場合には（Ｓ４０：ＮＯ）、Ｓ１が実行され、一方、音声通信の開始が選択されたと判定された場合には（Ｓ４０：ＹＥＳ）、再び、Ｗｅｂブラウザタスクが起動中であるか否かが確認される（Ｓ４５）。
【００５７】
このとき、Ｗｅｂブラウザタスクが起動中でないと判定された場合には（Ｓ４５：ＮＯ）、図６に示すように、音声通信中である旨が表示部３Ｃに表示され（Ｓ７０）、一方、Ｗｅｂブラウザタスクが起動中であると判定された場合には（Ｓ４５：ＹＥＳ）、図５に示すように、起動中のＷｅｂブラウザタスクに対して、現在の接続情報（通話開始前情報）を出力するように要求する（Ｓ５０）。
【００５８】
そして、通話開始前情報がＷｅｂブラウザタスクから出力されると、その通話開始前情報が親機２に転送され（Ｓ５５）、かつ、親機２に転送された通話開始前情報が子機３の記憶部３Ｂにも保存される（Ｓ６０）。
【００５９】
次に、Ｗｅｂブラウザタスクに対して、現在、起動中のブラウザを終了すべき旨の要求がＷｅｂブラウザタスクに対してされるとともに、ブラウザを終了すべき旨の要求（以下、終了要求という。）がされたことを示す終了管理フラグが記憶部３Ｂの所定領域に設定された後（Ｓ６５）、Ｓ７０が実行される。
【００６０】
なお、終了管理フラグは、Ｓ４０において、ブラウザの起動中に子機３で着信に応答したことに伴ってＳ６５により出された終了要求であるか、又は他の経路、例えば、ユーザが操作部３Ｄを介して所定の操作を行ったことに基づいて出された終了要求であるかを区別するためのものである。
【００６１】
また、終了要求に応じて実行されるブラウザの終了処理は、本タスクにて実行されるものではなく、ＷｅｂブラウザタスクのＳ２４０（図７参照）において認識され、この要求を認識したＷｅｂブラウザタスクにて実行される。
【００６２】
次に、図６に示すように、音声通信が終了したか否かが判定され（Ｓ７５）、終了してないと判定された場合には（Ｓ７５：ＮＯ）、通話中の表示が続けられ（Ｓ７０）、終了したと判定された場合には（Ｓ７５：ＹＥＳ）、Ｗｅｂブラウザタスクによりブラウザが終了させられたか否かが判定された後（Ｓ８０）、終了管理フラグが削除（クリア）される。
【００６３】
なお、Ｓ８０では、終了管理フラグの内容に基づいてＷｅｂブラウザタスクのＳ２４０にてブラウザが終了したか否かが判断される。つまり、終了管理フラグが設定されている場合は、子機３で着信に応答し、音声通信を開始したことによってブラウザを終了したことを意味しており、この場合には、Ｗｅｂブラウザタスクによりブラウザが終了させられたと判定される。逆に、終了管理フラグが設定されていない（削除されている）場合は、Ｗｅｂブラウザタスクによりブラウザが終了させられていないと判定される。
【００６４】
そして、Ｓ８０にてＷｅｂブラウザタスクによりブラウザが終了させられていないと判定された場合、つまり、終了管理フラグが削除されている場合には（Ｓ８０：ＮＯ）、Ｓ１が実行される。このような場合は、例えば、子機３で着信に対して応答した際に、ブラウザが起動されていない場合であって、子機３が相手先との通話を開始し、その後通話が終了した場合に相当する。
【００６５】
また、Ｗｅｂブラウザタスクによりブラウザが終了させられたと判定された場合には（Ｓ８０：ＹＥＳ）、音声通信を開始したことにより終了したデータ通信を子機３にて再開するか否かがユーザからの指示に基づいて判定される（Ｓ８５）。
【００６６】
このとき、データ通信を子機３にて再開しないと判定された場合には（Ｓ８５：ＮＯ）、Ｓ１が実行され、データ通信を子機３にて再開すると判定された場合には（８５：ＹＥＳ）、通話開始前情報に基づいて親機２でデータ通信が継続されたことにより、接続情報が更新されたか否かが親機２に問い合わせられる（Ｓ９０）。
【００６７】
そして、Ｓ９０による親機２への問い合わせ結果に基づいて、接続情報が更新されたか否かが判定され（Ｓ９５）、更新されていないと判定された場合には（Ｓ９５：ＮＯ）、Ｗｅｂブラウザタスクが起動された後（Ｓ１１５）、Ｓ１が実行される。
【００６８】
一方、接続情報が更新されたと判定された場合には（Ｓ９５：ＹＥＳ）、通話終了後情報を子機３に送信する旨が親機２に対して要求されるとともに（Ｓ１００）、通話終了後情報が受信されると（Ｓ１０５）、その受信した通話終了後情報が記憶部３Ｂに記憶された後（Ｓ１１０）、Ｗｅｂブラウザタスクが起動される（Ｓ１１５）。
【００６９】
３．２．１．１．Ｗｅｂブラウザタスク（図７参照）
ブラウザ起動ボタン３Ｄ１（図１参照）がユーザにより操作され、Ｗｅｂブラウザタスクが起動されると、先ず、子機３の記憶部３Ｂに通話開始前情報又は通話終了後情報が保存されているか否かが判定され（２００）、いずれの接続情報も保存されていないと判定された場合には（Ｓ２００：ＮＯ）、ブラウザに標準設定されているＵＲＬ（ホームページ）が表示される（Ｓ２１５）。
【００７０】
一方、いずれかの接続情報が保存されていると判定された場合には（Ｓ２００：ＹＥＳ）、その保存されている接続情報に基づいて接続情報が復元され（Ｓ２０５）、復元が完了すると、記憶部３Ｂに記憶されている接続情報が削除されるとともに（Ｓ２１０）、復元された接続情報に従ってデータ通信の表示内容が表示される（Ｓ２１５）。
【００７１】
なお、子機３の記憶部３Ｂに保存されている接続情報は、Ｓ１１０にて保存された接続情報、つまり親機２から送信されてきた通話終了後情報、又はＳ６０にて保存された通話開始前情報のいずれかである。
【００７２】
このため、接続情報として通話開始前情報が記憶部３Ｂに保存されていた場合には、音声通信を開始する時まで実行されていたデータ通信が復元され、接続情報として通話終了後情報が記憶部３Ｂに保存されていた場合には、音声通信が終了した時まで親機２で継続実行されていたデータ通信が復元される。
【００７３】
そして、データ通信内容の表示がされると（Ｓ２１５）、ユーザからブラウザへ操作がされたか否かが判定され（Ｓ２２０）、操作がされたと判定された場合には（Ｓ２２０：ＹＥＳ）、その操作に対応した処理が実行され（Ｓ２２５）、一方、操作がされていないと判定された場合には（Ｓ２２０：ＮＯ）、子機３のメインタスクから接続情報の出力要求（Ｓ５０）があったか否か判定される（Ｓ２３０）。
【００７４】
このとき、子機３のメインタスクから接続情報の出力要求があったと判定された場合には（Ｓ２３０：ＹＥＳ）、接続情報が出力された後（Ｓ２３５）、子機３のメインタスクからブラウザ終了要求（Ｓ６５）がされたか否か、又はユーザからブラウザの終了指示がされたか否かが判定される（Ｓ２４０）。
【００７５】
そして、ブラウザの終了要求又は終了指示がされたと判定された場合には（Ｓ２４０：ＹＥＳ）、ブラウザが終了してＷｅｂブラウザタスクが終了し、一方、終了要求又は終了指示がされていないと判定された場合には（Ｓ２４０：ＮＯ）、Ｓ２１５に戻る。
【００７６】
なお、本実施形態における子機３は、回線と直接的に通信を行うための通信部を備えていないため、Ｗｅｂブラウザタスクが起動されてブラウザへの操作等があった場合は、親機２の通信部を介して回線に操作に応じた信号が出力され、逆に、回線から応答信号（ホームページの閲覧データ等）があった場合には、親機を介して子機３に応答信号が転送され、子機３の表示部３Ｃに表示される。
【００７７】
３．２．２．親機のメインタスク（図８〜図１０参照）
親機２のメインタスクは、親機２の電源スイッチ（図示せず。）が投入されると起動され親機２の制御部２Ｊで実行され、遮断されると終了する。通常、親機２も、電源スイッチが投入されたままで使用されるため、メインタスクは、実質的に常に実行されていることになる。
【００７８】
そして、メインタスクが起動されると、図８に示すように、先ず、操作部２Ｇに設けられているブラウザ起動ボタン（図示せず。）がユーザにより操作され、ユーザからブラウザ起動要求がされたか否か、つまりユーザからデータ通信開始指示がされたか否かが判定される（Ｓ３００）。
【００７９】
このとき、ブラウザ起動要求がされたと判定された場合には（Ｓ３００：ＹＥＳ）、既にＷｅｂブラウザタスクが起動しているか否かが判定され（Ｓ３０５）、起動していないと判定された場合には（Ｓ３０５：ＮＯ）、Ｗｅｂブラウザタスクが起動された後（Ｓ３１０）、Ｗｅｂアイコンによりデータ通信の開始（ブラウザ起動）要求がされたか否かが判定される（Ｓ３１５）。
【００８０】
なお、Ｗｅｂブラウザタスクは、子機３で実行されるＷｅｂブラウザタスクと同じであるので、詳細説明は省略するが、親機２で実行されるＷｅｂブラウザタスクのＳ２００において参照される記憶部は、記憶部２Ｅに設定された情報記憶領域（図１０参照）である。
【００８１】
また、Ｓ３００にてブラウザ起動要求がされていないと判定された場合には（Ｓ３００：ＮＯ）、又はＳ３０５にてＷｅｂブラウザタスクが起動されていると判定された場合には（Ｓ３０５：ＹＥＳ）、Ｗｅｂアイコンによりデータ通信の開始要求がされたか否かが判定される（Ｓ３１５）。
【００８２】
そして、起動要求がされたと判定された場合には（Ｓ３１５：ＹＥＳ）、Ｗｅｂブラウザタスクが起動中であるか否かが確認され（Ｓ３２０）、一方、Ｗｅｂアイコンによりデータ通信の開始要求がされていないと判定された場合には（Ｓ３１５：ＮＯ）、着信信号を検出したか否かが判定される（Ｓ３４０）。
【００８３】
このとき、Ｗｅｂブラウザタスクが起動中であると判定された場合には（Ｓ３２０：ＹＥＳ）、ブラウザの終了要求がされた後（Ｓ３２５）、Ｗｅｂブラウザタスクが起動され（Ｓ３３０）、一方、Ｗｅｂブラウザタスクが起動中でないと判定された場合には（Ｓ３２０：ＮＯ）、Ｗｅｂブラウザタスクが起動され（Ｓ３３０）、親機２の記憶部２Ｅに更新フラグが設定され後（Ｓ３３５）、Ｓ３４０が実行される。
【００８４】
なお、更新フラグとは、Ｗｅｂアイコンによるブラウザ起動要求がされ、通話開始前情報に基づいて親機２にてデータ通信が復元されたことにより、接続情報が更新されたか否かを判定するためのものである。
【００８５】
このため、更新フラグが記憶部２Ｅに設定されている場合には、接続情報が更新されたことを意味し、更新フラグが記憶部２Ｅに設定されていない場合には、接続情報が更新されていないことを意味する。
【００８６】
次に、Ｓ３４０にて着信信号が検出されたと判定された場合には（Ｓ３４０：ＹＥＳ）、親機２の表示部２Ｆに着信情報が表示され（Ｓ３４５）、一方、着信信号が検出されていないと判定された場合には（Ｓ３４０：ＮＯ）、着信情報が非表示状態とされた後（Ｓ３５０）、子機３にて音声通信が実行されているか否かが判定される（Ｓ３５５）。
【００８７】
このとき、子機３にて音声通信が実行されていると判定された場合には（Ｓ３５５：ＹＥＳ）、子機３で音声通信が実行されている旨が表示部２Ｆに表示された後（Ｓ３６０）、図９に示すように、親機２の記憶部２Ｅに通話開始前情報が保存されているか否かが判定される（Ｓ３７０）。
【００８８】
一方、子機３にて音声通信が実行されていないと判定された場合には（Ｓ３５５：ＮＯ）、図８に示すように、子機３で音声通信が実行されている旨が非表示とされた後（Ｓ３６５）、Ｓ３７０が実行される。
【００８９】
なお、親機２の記憶部２Ｅでは、図１０に示すように、更新フラグを保存する領域、通話開始前情報又は通話終了後情報を保存する情報記憶領域、及び現在実行されているブラウザによる接続情報を保存する領域が設けられており、情報記憶領域に通話開始前情報が保存されているか否かに基づいて、記憶部２Ｅに通話開始前情報が記憶されているか否かが判定される。
【００９０】
次に、図９に示すように、通話開始前情報が記憶されていると判定された場合には（Ｓ３７０：ＹＥＳ）、Ｗｅｂアイコンが表示部２Ｆに表示された後（Ｓ３７５）、親機２自身が音声通信中であるか否かが判定される（Ｓ３８５）。一方、通話開始前情報が記憶されていないと判定された場合には（Ｓ３７０：ＮＯ）、Ｗｅｂアイコンが表示部２Ｆに表示されることなく（Ｓ３８０）、親機２自身が音声通信中であるか否かが判定される（Ｓ３８５）。
【００９１】
すなわち、例えば、既に通話開始前情報が記憶されており、Ｗｅｂアイコンが表示部２Ｆに表示されている状態で、Ｓ３１５によりＷｅｂアイコンによる起動要求があった場合には、Ｓ３３０において、Ｗｅｂブラウザタスクが起動されることに伴って、図７のＳ２１０において接続情報が削除される。
【００９２】
したがって、Ｓ３３０にて、情報記憶領域に記憶されていた通話開始前情報が削除されることになる。そして、子機３による通話が継続している間、再度、Ｓ３７０の処理に移行したとしても、情報記憶領域には通話開始前情報が記憶されていないため、Ｗｅｂアイコンが再度表示されることはない。
【００９３】
そして、音声通信中であると判定された場合には（Ｓ３８５：ＹＥＳ）、その通話状況が表示部２Ｆに表示され（Ｓ３９０）、一方、音声通信中でないと判定された場合には（Ｓ３８５：ＮＯ）、通話状況が非表示とされた後（Ｓ３９５）、子機３から送信されてきた通話開始前情報を受信したか否かが判定される（Ｓ４００）。
【００９４】
このとき、通話開始前情報を受信していないと判定された場合には（Ｓ４００：ＮＯ）、子機３からの問い合わせがされたか否か、つまり通話開始前情報に基づいて親機２でデータ通信が継続されて接続情報が更新されたか否かの問い合わせ（Ｓ９０）が実行されたか否かが判定される（Ｓ４２０）。
【００９５】
一方、通話開始前情報を受信したと判定された場合には（Ｓ４００：ＹＥＳ）、通話開始前情報を受信し（Ｓ４０５）、その受信した通話開始前情報が保存されるとともに（Ｓ４１０）、更新フラグが削除（クリア）された後（Ｓ４１５）、Ｓ４２０が実行される。
【００９６】
そして、Ｓ４２０にて子機３から問い合わせがされていないと判定された場合には（Ｓ４２０：ＮＯ）、子機３からの通話終了後情報の出力要求がされたか否かが判定される（Ｓ４４０）。一方、子機３から問い合わせがされたと判定された場合には（Ｓ４２０：ＹＥＳ）、更新フラグの内容が判定される（Ｓ４２５）。
【００９７】
このとき、更新フラグが設定されていると判定された場合には（Ｓ４２５：セット（１））、更新された旨の回答が子機３にされ（Ｓ４３０）、一方、更新フラグが設定されていないと判定された場合には（Ｓ４２５：クリア（０））、更新されていない旨の回答が子機３にされるとともに、情報記憶領域に保存されている通話開始前情報が削除された後（Ｓ４３５）、Ｓ４４０が実行される。
【００９８】
なお、Ｓ４３５にて通話開始前情報を削除する理由は、以下の通りである。すなわち、更新フラグが設定されていないと判定された場合、つまり接続情報が親機２において更新されていない場合には、子機３から転送されてきた通話開始前情報は使用されることがない情報である。
【００９９】
そこで、本実施形態では、更新されていない旨の回答が子機３に送信された場合には、情報記憶領域に保存されている通話開始前情報を削除することにより、再度、Ｓ３００からの処理を開始し、Ｓ３７０の処理に移行した場合に、Ｗｅｂアイコンが再度表示されることを防止している。
【０１００】
そして、Ｓ４４０にて子機３からの通話終了後情報の出力要求がされたと判定された場合には（Ｓ４４０：ＹＥＳ）、記憶部２Ｅに記憶されている通話終了後情報、つまり現在の接続情報が子機３に送信されるとともに、情報記憶領域から通話終了後情報が削除された後（Ｓ４４５）、Ｓ３００が実行される。一方、通話終了後情報の出力要求がされなかったと判定された場合には（Ｓ４４０：ＮＯ）、接続情報が子機３に送信されることなく、Ｓ３００が実行される。
【０１０１】
４．本実施形態に係る通信装置の特徴
本実施形態では、着信信号が検出されると、それまで子機３で行っていたデータ通信についての接続情報（通話開始前情報）が親機２に転送されるので、親機２において、転送された通話開始前情報を用いてデータ通信を復元して再開することが可能となり、通信装置１の使い勝手を更に向上させることができる。
【０１０２】
また、本実施形態では、着信信号が検出された場合には、その旨がデータ通信による表示と共に表示部３Ｃに表示されるので、データ通信を停止させることなく、着信があったことをユーザに報知できる。
【０１０３】
また、データ通信による表示が継続しているので、ユーザが着信によりデータ通信が停止されたと誤って判断することを防止できる。
また、本実施形態では、親機２は、子機３から転送されてきた通話開始前情報に基づいて、子機３での接続状態を復元し、データ通信を開始できるので、子機３にて音声通信を行いながら、親機２にてデータ通信を継続することができる。
【０１０４】
また、本実施形態では、親機２は、ユーザから指示があったときに限り、通話開始前情報に基づいてデータ通信を開始するので、データ通信が不必要に開始（継続）されてしまうことを未然に防止できる。
【０１０５】
また、本実施形態では、通話開始前情報と通話終了後情報とが同一であると判定された場合、つまり通話開始前情報に基づいてデータ通信が継続されていないと判定された場合には、子機３に記憶されている接続情報（通話開始前情報）を用いてデータ通信を復元するので、子機３による音声通信が終了したときに、即座にデータ通信を再開することができる。
【０１０６】
また、本実施形態では、通話開始前情報と通話終了後情報とが同一でないと判定された場合、つまり通話開始前情報に基づいてデータ通信が継続されたと判定された場合には、通話終了後情報を子機３に送信するので、子機３にて音声通信が行われている間に、親機２にてデータ通信が行われて接続情報が更新された場合であっても、子機３にて、その更新された状態からデータ通信を再開することができる。
【０１０７】
また、本実施形態では、親機２から子機３への接続情報の送信は、ユーザから指示がされたときに実行されるので、ユーザの意図に即した状態でデータ通信を復元することが可能となり、通信装置の使い勝手をより一層向上させることができる。
【０１０８】
（第２実施形態）
第１実施形態では、親機２にてデータ通信が継続されて接続情報が更新された場合は、子機３は、親機２から通話終了後情報を受信してデータ通信を復元し、親機２にて接続情報が更新されていない場合は、子機３に保存されている通話開始前情報に基づいてデータ通信を復元するものであった。
【０１０９】
しかし、本実施形態は、接続情報が更新されたか否かの判定は親機２にて実行し、接続情報が更新された場合には、親機２は通話終了後情報を子機３に送信し、接続情報が更新されていない場合は、親機２は先に子機３から取得した通話開始前情報をそのまま子機３に送信するとともに、子機３は、親機２から送信されてきた接続情報に基づいてデータ通信を復元するものである。
【０１１０】
１．子機のメインタスク
図１１は、本実施形態に係る子機３のメインタスクのうち、第１実施形態と異なる部分のみを示すフローチャートであり、第１実施形態と同一の処理ステップには同一の符号を付した。
【０１１１】
そして、図１１に示すように、本実施形態では、親機２に通話開始前情報が送信された後（Ｓ５５）、その送信された通話開始前情報が子機３の記憶部３Ｂでは保存されることなく、現在、起動中のブラウザを終了すべき旨の指令がされ（Ｓ６５）、Ｓ７０が実行される。
【０１１２】
また、データ通信を子機３にて再開すると判定された場合には（Ｓ８５：ＹＥＳ）、接続情報が更新されたか否かが親機２に問い合わせられることなく、接続情報を子機３に送信する旨が親機２に対して要求されるとともに（Ｓ１００）、接続情報が受信されると（Ｓ１０５）、その受信した接続情報が記憶部３Ｂに記憶された後（Ｓ１１０）、Ｗｅｂブラウザタスクが起動される（Ｓ１１５）。
【０１１３】
このため、通話開始前情報を接続情報として受信した場合には、音声通信が開始される直前まで実行されていたデータ通信が復元され、一方、通話終了後情報を接続情報として受信した場合には、親機２で実行されていたデータ通信が復元される。
【０１１４】
２．親機のメインタスク
図１１は、本実施形態に係る子機３のメインタスクのうち、第１実施形態と異なる部分のみを示すフローチャートであり、第１実施形態と同一の処理ステップには同一の符号を付した。
【０１１５】
そして、図１１に示すように、本実施形態では、子機３にて音声通信が実行されていないと判定された場合には（Ｓ３５５：ＮＯ）、子機３で音声通信が実行されている旨が非表示とされた後（Ｓ３６５）、Ｓ３５５にて音声通信が実行されていないと判定される前までは音声通信の実行中であったか否かが判定される（Ｓ４５０）。
【０１１６】
ここで、今まで音声通信の実行中でなかったと判定された場合には（Ｓ４５０：ＮＯ）、Ｓ３７０が実行され、一方、今まで音声通信の実行中であったと判定された場合には（Ｓ４５０：ＹＥＳ）、更新フラグの内容が確認される（Ｓ４５５）。
【０１１７】
そして、更新フラグが設定された状態でないと判定された場合には（Ｓ４５５：クリア（０））、Ｓ３７０が実行され、一方、更新フラグが設定された状態であると判定された場合には（Ｓ４５５：セット（１））、Ｗｅｂブラウザタスクへ接続情報の出力要求がされる（Ｓ４６０）。
【０１１８】
次に、Ｓ４６０にて出力された通話終了後情報、つまりブラウザの現在の接続情報（通話終了後情報）が情報記憶領域に保存されるとともに（Ｓ４６５）、ブラウザの終了要求がされる（Ｓ４７０）。
【０１１９】
なお、情報記憶領域には、通話開始前情報及び通話終了後情報が保存され、かつ、Ｓ４６５の後に実行されるＳ３７０では、通話開始前情報があるかが判定されるので、Ｓ４６５では、情報記憶領域に保存される接続情報がいずれの接続情報であるかが区別可能に保存される。
【０１２０】
また、通話開始前情報を受信していないと判定された場合（Ｓ４００：ＮＯ）、又は更新フラグが削除（クリア）された後（Ｓ４１５）、接続情報が更新されたか否かの問い合わせがされたか否かが判定されることなく、子機３からの接続情報の出力要求がされたか否かが判定される（Ｓ４４０）。
【０１２１】
そして、接続情報の出力要求がされたと判定された場合には（Ｓ４４０：ＹＥＳ）、通話開始前情報が保存されるべき領域（情報記憶領域）に保存されている接続情報が子機３に送信されるとともに、情報記憶領域から接続情報が削除された後（Ｓ４４５）、Ｓ３００が実行される。
【０１２２】
つまり、Ｓ３１５においてＷｅｂアイコンによる起動要求があり、更新フラグがセットされている場合において、子機３に送信される接続情報は、Ｓ４６５にて情報記憶領域に保存された通話終了後情報（親機２において更新された接続情報）である。一方、更新フラグが削除されている場合には、Ｓ４１０にて情報記憶領域に保存された通話開始前情報（子機２から転送された接続情報）である。
【０１２３】
３．４．本実施形態に係る通信装置の特徴
また、本実施形態では、通話開始前情報と通話終了後情報とが同一である場合、つまり親機２でデータ通信が継続されて接続情報が更新されたと判定された場合には、通話開始前情報が子機３に送信される。
【０１２４】
一方、通話開始前情報と通話終了後情報とが同一でないと判定された場合、つまり親機２でデータ通信が継続されていないと判定された場合には、通話終了後情報が子機３に送信される。
【０１２５】
このため、子機３による音声通信の終了後、子機３にて音声通信を開始したときの接続状態（通話開始前情報）を復元することができるとともに、子機３にて音声通信が行われている間に、親機２にてデータ通信が行われて接続情報が更新された場合であっても、子機３にて、その更新された状態（通話終了後情報）からデータ通信を再開することができる。
【０１２６】
（その他の実施形態）
上述の実施形態では、子機３から接続情報の送信要求があった場合に限り、親機２から接続情報を子機３に送信したが、本発明はこれに限定されるものでなく、子機３での音声通信が終了した時点で、子機３からの送信要求の有無によらず、接続情報を送信してもよい。なお、このとき、親機２から通話開始前情報及び通話終了後情報の両接続情報を子機３に送信し、子機３にていずれの接続情報に基づいてデータ通信を復元するかを判定してもよい。
【０１２７】
また、上述の実施形態では、通話開始前情報及び通話終了後情報のうちいずれの接続情報に基づいてデータ通信を復元するかを通信装置が判断したが、本発明はこれに限定されるものなく、ユーザの指示に基づいていずれの接続情報に基づいてデータ通信を復元するかを決定するように構成してもよい。
【０１２８】
また、上述の実施形態では、子機３にてデータ通信を実行している場合を例に本発明を説明したが、本発明はこれに限定されるものではなく、親機２にてデータ通信を実行している際に着信信号が検出されたときに、接続情報を子機３に送信するようにしてもよい。
【０１２９】
また、上述の実施形態では、通話開始前情報と通話終了後情報とが同一であるか否かを更新フラグに基づいて判定したが、本発明はこれに限定されるものではなく、例えば、親機２でブラウザを操作するためのキー操作の有無、又は親機２で接続情報が更新された旨を意図するユーザから指示（入力）等に基づいて判定してもよい。
【０１３０】
さらに、上述の実施形態では、図８の親機メインタスクにおいて、Ｗｅｂアイコンによる起動要求があった場合に、親機２でＷｅｂブラウザタスクが起動中であれば、Ｓ３２５において親機２のブラウザを終了するように構成されている。これに対し、親機２において、複数のブラウザタスクを並行して実行するように構成することも可能であり、その場合は、親機２のブラウザを終了せずに待機状態としておき、子機２からの通話開始前情報に基づくデータ通信を開始するように構成してもよい。
【０１３１】
また、上述の実施形態では、子機２からの通話開始前情報に基づくデータ通信の開始を、ユーザによりＷｅｂアイコンが操作されることを契機として行なうようにしたが、これに限定されるものではない。例えば、データのダウンロード中のように、明らかにデータ通信を継続して行ないたいような場合も想定されるため、このようなダウンロード中の場合は、ユーザ操作を介さずに、子機３で実行していたダウンロードが自動的に親機２で引き続き実行されるように構成してもよい。
【０１３２】
また、上述の実施形態においては、子機３は親機２の通信部を介して、データ通信や音声通信を行なうように構成したが、これに限定されるものではなく、子機３にも通信部相当の構成を設け、直接データ通信や音声通信を行なうように構成してもよい。
【０１３３】
この場合は、データ通信中に着信に応答して音声通信を開始したとしても、データ通信を終了する必要はないが、通常、子機３で通話を開始した場合、表示部は耳の近くにあり、操作部もユーザからは見えない状態のため、仮に、音声通信とデータ通信とが同時に実行できる子機３であったとしても、音声通話とホームページの閲覧を同時に行なうことはできない。
【０１３４】
そこで、このような子機３においても、データ通信における通話開始前情報を親機２に転送して、親機２でデータ通信を復元させることは有効である。
また、本発明は、特許請求の範囲に記載された発明の趣旨に合致するものであればよく、上述の実施形態に限定されるものではない。
【図面の簡単な説明】
【０１３５】
【図１】本発明の実施形態に係る通信装置の外観図である。
【図２】本発明の実施形態に係る親機２の電気系ブロック図である。
【図３】本発明の実施形態に係る子機３の電気系ブロック図である。
【図４】本発明の第１実施形態に係る通信装置の説明図である。
【図５】本発明の第１実施形態に係る子機３のメインタスクを示すフローチャートである。
【図６】本発明の第１実施形態に係る子機３のメインタスクを示すフローチャートである。
【図７】本発明の実施形態におけるＷｅｂブラウザタスクのフローチャートである。
【図８】本発明の第１実施形態に係る親機２のメインタスクを示すフローチャートである。
【図９】本発明の第１実施形態に係る親機２のメインタスクを示すフローチャートである。
【図１０】本発明の第１実施形態に係る親機２の記憶部２Ｅの概念を示す図である。
【図１１】本発明の第２実施形態に係る子機３のメインタスクを示すフローチャートである。
【図１２】本発明の第２実施形態に係る親機２のメインタスクを示すフローチャートである。
【符号の説明】
【０１３６】
１…通信装置、２…親機、２Ａ…印刷部、２Ｂ…読取部、２Ｄ…無線通信部、
２Ｅ…記憶部、２Ｆ…表示部、２Ｇ…操作部、２Ｈ…スピーカ、２Ｊ…制御部、
３…子機、３Ａ…無線通信部、３Ｂ…記憶部、３Ｃ…表示部、３Ｄ…操作部、
３Ｅ…スピーカ、３Ｆ…制御部。
【図２】
0004692566.tif 000002
【図３】
0004692566.tif 000003
【図５】
0004692566.tif 000004
【図６】
0004692566.tif 000005
【図７】
0004692566.tif 000006
【図８】
0004692566.tif 000007
【図９】
0004692566.tif 000008
【図１０】
0004692566.tif 000009
【図１１】
0004692566.tif 000010
【図１２】
0004692566.tif 000011
【図１】
0004692566.tif 000012
【図４】
0004692566.tif 000013